(57)【要約】【課題】参照信号の空間多重数を増やすことを可能とする端末装置を提供すること。【解決手段】本発明の端末装置は、参照信号を生成して送信する端末装置であって、前記端末装置は、基地局より通知された信号に基づいて、前記参照信号のＲＦ(Repetition Factor) を設定し、前記参照信号を生成する参照信号生成部を具備することを特徴とする。【選択図】図４
2016103663.tif 000002
【特許請求の範囲】
【請求項１】
参照信号を生成して送信する端末装置であって、 
前記端末装置は、基地局より通知された信号に基づいて、前記参照信号のＲＦ(Repetition Factor) を設定し、前記参照信号を生成する参照信号生成部を具備することを特徴とする端末装置。
【請求項２】
前記参照信号生成部は、前記基地局より通知された信号に含まれる複数の値の少なくとも１つを、前記ＲＦの設定のみに使用することを特徴とする請求項1記載の端末装置。
【請求項３】
前記参照信号生成部は、前記基地局より通知された信号に含まれる複数の値の少なくとも１つを、前記ＲＦの設定および前記ＲＦ以外のパラメータに使用することを特徴とする請求項1記載の端末装置。
【請求項４】
前記参照信号生成部は、前記ＲＦを、特定の制御信号を検出した場合にのみ適用することを特徴とする請求項１記載の端末装置。
【請求項５】
前記参照信号生成部は、前記ＲＦを、サイクリックシフトまたは直交カバーコードを指定する値と紐付けし、設定することを特徴とする請求項３記載の端末装置。
【請求項６】
端末装置が使用する参照信号のパラメータを通知する基地局装置であって、 
前記基地局装置は、所望のＲＦに基づいてＲＦに関するパラメータを前記端末装置に送信する基地局装置。
【請求項７】
前記ＲＦに関するパラメータを、サイクリックシフトまたは直交カバーコードを指定する値と紐付けして前記端末装置に送信することを特徴とする請求項６記載の基地局装置。
【請求項８】
前記ＲＦに関するパラメータを、上り回線の周波数割当情報を含む情報とともに下り回線の制御情報を用いて前記端末装置に送信することを特徴とする請求項６または７記載の基地局装置。
【請求項９】
前記ＲＦに関するパラメータを、必要な直交参照信号数に基づいて設定することを特徴とする請求項６記載の基地局装置。
【発明の詳細な説明】
【技術分野】
【０００１】
本発明は、端末装置および基地局装置に関する。
【背景技術】
【０００２】
近年、スマートフォンの普及やユーザ数の増加に伴い、システム全体としてのスループットを一層向上することが要求されている。標準化団体の１つである３ＧＰＰ（The Third Generation Partnership Project）では、単位面積当たりのキャパシティを増大させるために、マクロエリア内に複数のスモールセルを形成するピコ基地局（ＬＰＮ（Low Power Node）と称される場合もある）を配置し、スモールセルに通信トラヒックをオフロードするスモールセルの拡張技術（ＳＣＥ：Small Cell Enhancement）が、次世代の移動通信システムであるＬＴＥ（Long Term Evolution）のリリース１２において検討されている（非特許文献１）。
【０００３】
一方で、スモールセルの設置により通信トラヒックをオフロードすることでセルスプリッティングゲインを獲得することでキャパシティを向上させたとしても、周波数は有限であるため、スモールセルの数に比例してキャパシティを高めることを狙う場合には、限界がある。そのため、スモールセルの設置によるセルスプリッティングだけでなく、セルあたりの周波数利用効率を向上させる手段として、空間リソースも積極的に活用するマルチユーザＭＩＭＯ（Multi-User Multiple-Input Multiple-Output）や非直交アクセスなども検討されている（非特許文献２、非特許文献３）。
【先行技術文献】
【非特許文献】
【０００４】
【非特許文献１】３ＧＰＰ，ＲＰ−１２２０３２，“New Study Item Proposal for Small Cell Enhancements for E-UTRA and E-UTRAN - Physical-layer Aspects，”ＲＡＮ  ｐｌｅｎａｒｙ  ＃５８，Ｄｅｃｅｍｂｅｒ，２０１２．
【非特許文献２】Ｄ．  Ｎｉｓｈｉｋａｗａ，  ｅｔ  ａｌ．，“Investigation on resource assignment and power control schemes for uplink MU-MIMO in multi-cell environments for LTE/LTE-advanced，”ＩＥＥＥ  ＡＰＣＣ２０１０，Ｎｏｖｅｍｂｅｒ，２０１０．
【非特許文献３】Ｐ．  Ｗａｎｇ，  ｅｔ  ａｌ．，“Comparison of orthogonal and non-orthogonal approaches to future wireless cellular systems，”ＩＥＥＥ  Ｖｈｅｃｕｌａｒ  Ｔｅｃｈｎｏｌｏｇｙ  Ｍａｇａｚｉｎｅ，Ｓｅｐｔｅｍｂｅｒ，２００６．
【発明の概要】
【発明が解決しようとする課題】
【０００５】
ＭＵ−ＭＩＭＯや、非直交アクセスを上りリンク（端末装置から基地局装置への通信回線）に適用する場合には、基地局装置で空間多重されたユーザ（ＵＥ：User Equipment）からの伝搬路特性を推定するために、参照信号を直交化しておくことが望ましい。
【０００６】
ＬＴＥでは、サイクリックシフトと呼ばれる周波数領域で直交化可能な符号を乗算することで複数の参照信号を分離することが可能となっているが、これは空間多重するＵＥの帯域幅と周波数位置が同一でなければ直交化できないという問題があった。
【０００７】
さらに、長さ２の直交カバーコード（ＯＣＣ：Orthogonal Cover Code）と呼ばれる時間領域で直交化可能な符号を乗算することで、帯域幅と周波数位置に関係なく参照信号を直交化できるが、これは２多重までしか直交化できないという問題があった。
【課題を解決するための手段】
【０００８】
上述した課題を解決するために本発明に係る端末装置および基地局装置の構成は、次の通りである。  
【０００９】
（１）本発明によれば、参照信号を生成して送信する端末装置であって、前記端末装置は、基地局より通知された信号に基づいて、前記参照信号のＲＦ(Repetition Factor) を設定し、前記参照信号を生成する参照信号生成部を具備することを特徴とする端末装置が提供される。
（２）本発明によれば、前記参照信号生成部は、前記基地局より通知された信号に含まれる複数の値の少なくとも１つを、前記ＲＦの設定のみに使用することを特徴とする端末装置が提供される。
（３）本発明によれば、前記参照信号生成部は、前記基地局より通知された信号に含まれる複数の値の少なくとも１つを、前記ＲＦの設定および前記ＲＦ以外のパラメータに使用することを特徴とする端末装置が提供される。
（４）本発明によれば、前記参照信号生成部は、前記ＲＦを、特定の制御信号を検出した場合にのみ適用することを特徴とする端末装置が提供される。
（５）本発明によれば、前記参照信号生成部は、前記ＲＦを、サイクリックシフトまたは直交カバーコードを指定する値と紐付けし、設定することを特徴とする端末装置が提供される。
（６）本発明によれば、端末装置が使用する参照信号のパラメータを通知する基地局装置であって、前記基地局装置は、所望のＲＦに基づいてＲＦに関するパラメータを前記端末装置に送信する基地局装置が提供される。
（７）本発明によれば、前記ＲＦに関するパラメータを、サイクリックシフトまたは直交カバーコードを指定する値と紐付けして前記端末装置に送信することを特徴とする基地局装置が提供される。
（８）本発明によれば、前記ＲＦに関するパラメータを、上り回線の周波数割当情報を含む情報とともに下り回線の制御情報を用いて前記端末装置に送信することを特徴とする基地局装置が提供される。
（９）本発明によれば、前記ＲＦに関するパラメータを、必要な直交参照信号数に基づいて設定することを特徴とする基地局装置が提供される。
【発明の効果】
【００１０】
本発明によれば、効率良く直交する参照信号の数を増やすことができる。
【図面の簡単な説明】
【００１１】
【図１】ＬＴＥ上りリンクのサブフレーム構成である。
【図２】ＩＦＤＭに基づく参照信号の概略図である。
【図３】ＩＦＤＭに基づく参照信号を複数の端末装置で多重した場合の周波数領域でのスペクトルを示す概略図である。
【図４】第１の実施形態に係る端末装置の構成を示す概略図である。
【図５】ビット列とＲＦ情報を示す図である。
【図６】第１の実施形態に係る端末装置の構成を示す概略図である。
【図７】ＣＳＩフィールドのビット列とＣＳＩ値及びそれに紐付けされたＲＦ情報を示す図である。
【図８】第１の実施形態に係る端末装置の構成を示す概略図である。
【図９】非直交アクセスを適用しているシステムの概略図である。
【発明を実施するための形態】
【００１２】
（第１の実施形態）
以下、本発明の第１の実施形態について説明する。以下の実施形態では、上りリンクを前提とし、ＬＴＥのサブフレーム構成を用いて説明するが、発明の本質が同一であればこれに限定されない。
【００１３】
図１に、ＬＴＥ上りリンクのサブフレーム構成を示す。ＬＴＥ上りリンクは、時間多重された１４シンボルのＤＦＴ−Ｓ−ＯＦＤＭ（Discrete Frequency Transform Spread Orthogonal Frequency Division Multiplexing）シンボルから構成される。１サブフレームは１ミリ秒であり、前半と後半の７シンボルをスロットと呼び、各スロットは０．５ミリ秒である。白で示される１はデータ通信のためのＤＦＴ−Ｓ−ＯＦＤＭシンボル、各スロットの中央の、即ち４番目のシンボル２と１１番目のシンボル３は復調用参照信号（ＤＭＲＳ：DeModulation Reference Signal）であり、予め仕様に決められたルールに従って送信される既知信号である。４で示されるシンボルは、サウンディング参照信号（ＳＲＳ：Sounding Reference Signal）の送信が可能であるシンボルであり、ＳＲＳサブフレームであればＳＲＳを、そうでなければデータシンボルを送信する。
【００１４】
図２に、本実施形態の概念を示す。同図は、周波数領域でＤＭＲＳを送信する場合の例を示している。ここでは、インターリーブ周波数分割多重（ＩＦＤＭ：Interleaved Frequency Division Multiplexing）に基づく参照信号を示している。図２は、ＲＦ（Ｒｅｐｅｔｉｔｉｏｎ  Ｆａｃｔｏｒ）を２、４とした場合の参照信号の周波数信号を表しており、灰色のリソースエレメント（サブキャリア）にのみ信号が配置されている。即ち、ＲＦ＝２の場合には、信号が配置されているリソースエレメントの周期は２であり、間のリソースエレメントには別の参照信号を直交多重することができる。同様に、ＲＦ＝４の場合には、信号が配置されているリソースエレメントの周期は４であり、残りのリソースエレメントには別の参照信号を直交多重することができる。
【００１５】
図３に、ＲＦ＝２の参照信号を送信するＵＥ数を１、ＲＦ＝４の参照信号を送信するＵＥ数を２とする場合の、参照信号の直交多重例を示す。白のリソースエレメント５は、ＲＦ＝２のＵＥの参照信号であり、灰および黒のリソースエレメント６、７はＲＦ＝４のＵＥの参照信号であり、異なる色は異なるＵＥがマッピングした信号であることを意味する。このように、マルチユーザＭＩＭＯなど、複数のＵＥがデータ信号を同じ周波数帯域で送信した場合にも受信装置となる通信装置で伝搬路推定を行うことができる。
【００１６】
本発明は、これを適応的に実現するための仕組みを開示している。図４に、端末装置の構成を示す。端末装置は、受信アンテナ１０、受信部１１、制御情報検出部１２、参照信号系列検出部１３、符号検出部１４、参照信号割当検出部１５、参照信号生成部１６、符号部１７、変調部１８、ＤＦＴ部１９、参照信号多重部２０、周波数割当部２１、ＩＤＦＴ部２２、送信部２３、送信アンテナ２４から構成される。
【００１７】
受信アンテナ１０では、基地局装置から送信された制御信号を受信する。
【００１８】
受信部１１は、受信した制御信号をダウンコンバージョン、Ａ／Ｄ（Digital to Analog）変換などによりベースバンドのディジタル信号に変換する。
【００１９】
制御情報検出部１２では、ベースバンドのディジタル信号から制御情報が検出される。
【００２０】
参照信号系列検出部１３では、検出した信号から参照信号系列に関する情報（参照信号の振幅を決定するための情報）が検出される。
【００２１】
符号検出部１４では、制御情報検出部１２で検出した信号から参照信号系列に乗算する符号（例えば、サイクリックシフト（ＣＳ：Cyclic Shift）系列や直交カバーコード（ＯＣＣ：Orthogonal Cover Code））が検出される。
【００２２】
参照信号割当検出部１５では、図３に述べたようなＲＦの値と、信号をマッピングする周波数位置（コーム（Ｃｏｍｂ）インデックスとも呼ばれ、どの位置に信号をマッピングするかを示す情報）が検出される。
【００２３】
参照信号生成部１６では、参照信号系列検出部１３、符号検出部１４、参照信号割当検出部１５に基づいて参照信号が生成され、参照信号多重部２０に入力される。
【００２４】
符号部１７では、情報ビット列が誤り訂正符号化される。なお、本願ではこの情報ビット列から得られる信号をデータ信号と称する。
【００２５】
変調部１８では、符号部１７で誤り訂正符号化された符号ビット列がＱＰＳＫ（Quaternary Phase Shift Keying）や１６ＱＡＭ（Quadrature Amplitude Modulation）などの信号に変調される。
【００２６】
ＤＦＴ部１９では、変調部１８で得られた変調シンボルがＤＦＴ（Discrete Fourier Transform）により周波数信号に変換される。
【００２７】
参照信号多重部２０では、ＤＦＴ部１９で得られた周波数信号と参照信号生成部１６で生成された参照信号が多重し周波数割当部２１へ出力する。このとき、例えば、図１で示されるように参照信号とデータ信号は異なる時間に多重される。
【００２８】
周波数割当部２１では、参照信号多重部２０で出力された信号を基地局装置が指定した伝送帯域にマッピングする。
【００２９】
ＩＤＦＴ部２２では、周波数割当部２１でマッピングされた信号がＩＤＦＴ（Inverse DFT）により時間信号に変換される。
【００３０】
送信部２３では、ＩＤＦＴ部２２で得られた時間信号に対し、ＣＰ（Cyclic Prefix）の付加、Ｄ／Ａ（Digital to Analog）変換、アップコンバージョンを行ない送信信号に変換する。
【００３１】
送信アンテナ２４では、送信部２３で得られた送信信号が送信される。
【００３２】
このように、本発明は端末装置が受信した制御情報から参照信号に関する情報、特に参照信号のＲＦと周波数位置（コームインデックス）（以下では、これらを総称してＲＦ情報と定義する。）を受信し、それを参照信号に適用することを開示している。
【００３３】
次に、制御情報から参照信号に関する情報がどのように通知されるかについて説明する。なお、制御情報の生成に関しては基地局装置が行うため、その構成は後述される。
【００３４】
図５に、参照信号に関する情報の一例を示す。同図は、下りリンク制御情報（ＤＣＩ：Downlink Control Information）と呼ばれる物理制御チャネル（ＰＤＣＣＨ：Physical Downlink Control CHannel）で送信される参照信号に関する情報を示している。参照信号に関する情報は、ＲＦ及びコームインデックスｋを示しており、例えば、１，Ｎ／ＡはＲＦ＝１の参照信号を構成することを意味しており、伝送帯域内で連続的に参照信号御割り当てる。一方、２，０はＲＦ＝２の参照信号をコームインデックス０で送信ことを意味している。具体的には、ＲＦ＝２の参照信号は、リソースエレメントが交互に使用され、この場合偶数番目のリソースエレメントと奇数番目のリソースエレメントで直交多重可能である。コームインデックス０とはここでは偶数番目のリソースエレメント群、コームインデックス１とは奇数番目のリソースエレメント群を意味する。同様に、ＲＦ＝４の場合にはコームインデックスは０〜３の４種類の直交リソースを選択することもでき、このような拡張も本発明に含まれる。
【００３５】
次に、このような制御信号が通知されるＵＥについて説明する。主に、複数のＵＥを空間多重した場合に直交リソースの数を増やす方法としてＩＦＤＭに基づく参照信号は有効である。このことから、全てのＤＣＩではなく、特定のＤＣＩにのみ図５のフィールドを設定することが考えられる。例えば、ＬＴＥで既に採用されている伝送モード１の場合には、ＤＣＩフォーマット０と呼ばれる制御信号が端末装置に送信される。この場合、ＩＦＤＭに基づく参照信号を生成することはせず、従来通りの復号処理が各ＵＥで適用される。一方、ＭＩＭＯをサポートしている伝送モード２の場合、従来はＤＣＩフォーマット４が使用されており、このＤＣＩフォーマット４に図５のテーブルに基づくビットフィールドが追加される。なお、ここではＭＩＭＯに対応した伝送モードに対応するＤＣＩにのみ追加される例を示したが、特定のＤＣＩあるいは制御情報にのみ追加されれば本発明に含まれる。勿論、全てのＤＣＩに追加される場合も本発明に含まれる。
【００３６】
図６に、端末装置の構成例を示す。図４と異なる点は制御情報識別部２５が新たに追加されている点である。制御情報識別部２５は、基地局装置より通知された制御情報の種類を識別し、図５のＩＦＤＭに基づく参照信号を生成するフィールドがあるか否かを識別する。その後、制御情報検出部１２以降で参照信号の生成を行う。このように、直交化すべき参照信号が多い伝送モードに対応するＤＣＩにこのような処理を適用することで、将来空間多重されるＵＥの数が増大しても参照信号のための直交リソースを確保することができ、システムの伝送特性が高まる。
【００３７】
（第２の実施形態）
第１の実施形態では、ＩＦＤＭに基づく参照信号を適用する情報を直接ビットで通知したが、本実施形態は暗黙的に通知する方法について述べる。
【００３８】
図７に、参照信号を生成するための情報の一例を示す。同図は、既にＬＴＥで採用されているＤＣＩに含まれるＣＳ値フィールドに紐付けした例を示している。ＣＳ値はリソースエレメント間で一定の位相回転を与えるサイクリックシフトと呼ばれる直交符号の情報であり、値が大きいほどリソースエレメント間の位相回転量が大きくなる。ここで、同図に示されるように、ＣＳ値にＲＦ，ｋが紐付けされており、例えばビット“０００”が通知された場合には、ＣＳ値＝０を適用したＲＦ＝１の参照信号を生成することを意味し、ビット“０１１”が通知された場合には、ＣＳ値＝４のＲＦ＝１、コームインデックス＝１のＩＦＤＭに基づく参照信号を生成することを意味する。このように、ＣＳ値フィールドと紐付けすることにより暗黙的にＲＦの値を通知することができ、情報ビットを増やすことなく参照信号を生成することができる。
【００３９】
本発明を実施するための端末装置の構成例は図４と同一であり、制御信号を検出した際に、ＣＳ値フィールドを用いてＩＦＤＭに基づく参照信号の情報も解釈する。
【００４０】
さらに、第１の実施形態で述べたように、特定のＤＣＩフォーマットにのみその解釈を与えるようなルールを定義してもよく、特定の制御信号のＣＳ値フィールドにのみ図７のような解釈を与えられてもよい。この場合、端末装置構成は図６のような構成となり、制御情報識別部２５で制御情報の種類を識別し、ＲＦ情報を暗黙的に解釈する。
【００４１】
図８に、第１と第２の実施形態を実現するための基地局装置の構成例を示す。基地局装置は受信アンテナ３１、受信部３２、サウンディング部３３、スケジューリング部３４、多重数算出部３４、参照信号符号設定部３５、ＲＦ情報設定部３６、制御情報設定部３７、制御情報生成部３８、送信部３９、送信アンテナ４０から構成される。
【００４２】
受信アンテナ３１では、端末装置から送信されたサウンディング参照信号を受信する。
【００４３】
受信部３２では、ダウンコンバージョン、Ａ／Ｄ変換などが行われベースバンド信号に変換される。
【００４４】
サウンディング部３３では、受信部３２で得られたベースバンド信号から伝搬路の周波数特性が算出される。
【００４５】
多重数算出部３４では、スケジューリング結果から少なくとも一部同じ伝送帯域を使用する端末数が算出される。
【００４６】
参照信号符号設定部３５では、ＣＳ値のような直交符号の符号に関する情報が設定される。
【００４７】
ＲＦ情報設定部３６では、ＩＦＤＭに基づく参照信号を生成するためのパラメータを設定する。
【００４８】
制御情報設定部３７では、参照信号符号設定部３５とＲＦ情報設定部３６から得られた参照信号の生成に必要な情報に基づいて制御情報を設定する。
【００４９】
制御情報生成部３８では、設定された制御情報の種類（例えば、ＤＣＩフォーマット）に基づいて制御情報を生成する。
【００５０】
送信部３９では、生成された制御情報からＤ／Ａ変換、アップコンバージョンにより送信信号が生成され、送信アンテナ４０から送信される。
【００５１】
なお、図８の構成は多重数を算出し、その数に応じて設定しているが、多重数算出部３４は必須ではなく、多重数算出部３４の判断に依らず設定する場合も本発明に含まれる。
【００５２】
（第３の実施形態）
第３の実施形態は、非直交アクセスへの適用例を示す。図９に、非直交アクセスの概念を示す。同図は、受信アンテナが２本の基地局装置４１に対して、３つの端末装置４２、４３、４４が同じ周波数を用いて通信している例を示している。また４２ｆ、４３ｆ、４４ｆは端末装置４２、４３、４４の伝送帯域を表している。同図に示されるように、４５で示される周波数帯域において非直交にデータが多重されている。この場合、データ信号の検出はターボ等化やシリアル干渉キャンセラなど非線形受信機により実現される。
【００５３】
しかしながら、これらを適用するためには各端末装置と基地局装置４１との間の伝搬路推定が必要であり、この参照信号（ＤＭＲＳ）に関しては直交化させることが望ましい。このような場合には、直交多重数に基づいてＲＦの値を設定すると言った方法も適用可能である。このように、多重数に基づいてＲＦの値を設定するといった方法も本発明に含まれる。
【００５４】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００５５】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【００５６】
また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【００５７】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【００５８】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【００５９】
本発明は通信装置、通信システムに用いて好適である。
【符号の説明】
【００６０】
１…ＬＴＥのサブフレーム構成
２…復調用参照信号
３…復調用参照信号
４…サウンディング参照信号が送信される可能性があるシンボル
５…ＲＦ＝２のＵＥの参照信号
６…ＲＦ＝４のＵＥの参照信号
７…ＲＦ＝４のＵＥの参照信号
１０…受信アンテナ
１１…受信部
１２…制御情報検出部
１３…参照信号系列検出部
１４…符号検出部
１５…参照信号割当検出部
１６…参照信号生成部
１７…符号部
１８…変調部
１９…ＤＦＴ部
２０…参照信号多重部
２１…周波数割当部
２２…ＩＤＦＴ部
２３…送信部
２４…送信アンテナ
２５…制御情報識別部
３１…受信アンテナ
３２…受信部
３３…サウンディング部
３４…スケジューリング部
３５…参照信号符号設定部
３６…ＲＦ情報設定部
３７…制御情報設定部
３８…制御情報生成部
３９…送信部
４０…送信アンテナ
４１…基地局装置
４２…端末装置
４２―ｆ…端末装置４２の伝送帯域
４３…端末装置
４３―ｆ…端末装置４３の伝送帯域
４４…端末装置
４４―ｆ…端末装置４４の伝送帯域
４５…非直交多重されている周波数帯域
【図１】
2016103663.tif 000003
【図２】
2016103663.tif 000004
【図３】
2016103663.tif 000005
【図４】
2016103663.tif 000006
【図５】
2016103663.tif 000007
【図６】
2016103663.tif 000008
【図７】
2016103663.tif 000009
【図８】
2016103663.tif 000010
【図９】
2016103663.tif 000011